(57)【要約】【課題】装置本体とＰＩＵとの間に冷却液用コネクタを配置することなく、ＰＩＵ内の発熱部品を冷却する。【解決手段】伝送装置は、スロットが形成された装置本体と、装置本体のスロットに挿入されるプラグインユニットと、を有し、装置本体は、装置本体のスロットにおいて上下方向に変位可能に冷却プレートを保持する保持部材を有し、プラグインユニットは、装置本体のスロットに挿抜可能な筐体と、筐体に収容され、発熱部品が搭載された基板と、装置本体のスロットに筐体を挿入する操作に連動して、保持部材に保持された冷却プレートを発熱部品に接触する位置又は発熱部品上に設けられた伝熱部材に接触する位置に変位させる変位部材と、を有する。【選択図】図３
2020072133.tif 000002
【特許請求の範囲】
【請求項１】
スロットが形成された装置本体と、
前記装置本体の前記スロットに挿入されるプラグインユニットと、
を有し、
前記装置本体は、
前記装置本体の前記スロットにおいて上下方向に変位可能に冷却プレートを保持する保持部材を有し、
前記プラグインユニットは、
前記装置本体の前記スロットに挿抜可能な筐体と、
前記筐体に収容され、発熱部品が搭載された基板と、
前記装置本体の前記スロットに前記筐体を挿入する操作に連動して、前記保持部材に保持された前記冷却プレートを前記発熱部品に接触する位置又は前記発熱部品上に設けられた伝熱部材に接触する位置に変位させる変位部材と、
を有することを特徴とする伝送装置。
【請求項２】
前記装置本体は、第１の電気コネクタを更に有し、
前記プラグインユニットは、前記基板に搭載され、前記装置本体の前記スロットに前記筐体が挿入された状態で前記装置本体の前記第１の電気コネクタに接続される第２の電気コネクタを更に有し、
前記保持部材は、前記装置本体の前記スロットにおいて、前記第１の電気コネクタ及び前記第２の電気コネクタよりも高い位置に前記冷却プレートを保持し、
前記変位部材は、前記筐体を挿入する操作に連動して、前記保持部材に保持された前記冷却プレートを前記第１の電気コネクタ及び前記第２の電気コネクタよりも高い位置から前記発熱部品に接触する位置又は前記伝熱部材に接触する位置に変位させることを特徴とする請求項１に記載の伝送装置。
【請求項３】
前記保持部材は、板バネであり、
前記変位部材は、板バネであり、前記筐体を挿入する操作に連動して、前記保持部材に保持された前記冷却プレートを前記発熱部品の方向へ弾性的に押圧することで、前記冷却プレートを前記発熱部品に接触する位置又は前記伝熱部材に接触する位置に変位させることを特徴とする請求項１又は２に記載の伝送装置。
【請求項４】
前記プラグインユニットは、前記筐体に回動可能に設けられ、前記筐体を挿入する操作時に操作されて回動するレバーを更に有し、
前記保持部材は、板バネであり、
前記変位部材は、端部に傾斜面が形成されたブロックであり、前記レバーに連結部材を介して連結され、前記レバーの回動に連動して、前記保持部材に保持された前記冷却プレートに近付く方向へ移動し、前記傾斜面に沿って前記冷却プレートをガイドすることで、前記冷却プレートを前記発熱部品に接触する位置又は前記伝熱部材に接触する位置に変位させることを特徴とする請求項１又は２に記載の伝送装置。
【請求項５】
前記保持部材は、ピニオンギアであり、側面にネジ溝が形成された回転軸部を有し、前記回転軸部を前記冷却プレートに形成されたネジ孔に係合することで、前記冷却プレートを保持し、
前記変位部材は、ラックギアであり、前記筐体を挿入する操作に連動して、前記保持部材に係合し、前記保持部材を回転させて前記回転軸部に沿って前記冷却プレートを前記発熱部品の方向に移動させることで、前記冷却プレートを前記発熱部品に接触する位置又は前記伝熱部材に接触する位置に変位させることを特徴とする請求項１又は２に記載の伝送装置。
【請求項６】
前記保持部材は、ピニオンギアの回転により上下方向に伸縮可能な伸縮機構であり、下面に前記冷却プレートが固定され、
前記変位部材は、ラックギアであり、前記筐体を挿入する操作に連動して、前記保持部材のピニオンギアに係合し、当該ピニオンギアを回転させて前記保持部材を前記発熱部品の方向に伸張させることで、前記冷却プレートを前記発熱部品に接触する位置又は前記伝熱部材に接触する位置に変位させることを特徴とする請求項１又は２に記載の伝送装置。
【請求項７】
スロットが形成され、前記スロットにおいて上下方向に変位可能に冷却プレートを保持する保持部材を有する装置本体の前記スロットに挿入されるプラグインユニットであって、
前記装置本体の前記スロットに挿抜可能な筐体と、
前記筐体に収容され、発熱部品が搭載された基板と、
前記装置本体の前記スロットに前記筐体を挿入する操作に連動して、前記保持部材に保持された前記冷却プレートを前記発熱部品に接触する位置又は前記発熱部品上に設けられた伝熱部材に接触する位置に変位させる変位部材と、
を有することを特徴とするプラグインユニット。
【発明の詳細な説明】
【技術分野】
【０００１】
本発明は、伝送装置及びプラグインユニットに関する。
【背景技術】
【０００２】
電子部品等の発熱部品を搭載するプラグインユニット（ＰＩＵ：Plug-in  Unit）が装置本体に差し込まれるプラグイン型の伝送装置がある。このような伝送装置では、発熱部品から発せられる熱が、ＰＩＵや伝送装置の動作異常を引き起こす要因となる。このため、伝送装置では、発熱部品を冷却することが重要である。
【０００３】
発熱部品を冷却する技術として、冷却液の流路が内部に形成された冷却プレートに発熱部品を接触させる技術がある。
【先行技術文献】
【特許文献】
【０００４】
【特許文献１】特開２００９−１５８６９号公報
【発明の概要】
【発明が解決しようとする課題】
【０００５】
ところで、プラグイン型の伝送装置では、ＰＩＵ内の発熱部品に対して冷却プレートを適用する場合、冷却プレートをＰＩＵ内の発熱部品に直接的に取り付けることが考えられる。冷却プレートがＰＩＵ内の発熱部品に直接的に取り付けられる場合、装置本体とＰＩＵとの間に冷却液用コネクタが配置され、冷却液用コネクタを介して冷却プレートの配管に冷却液が供給される。しかしながら、装置本体とＰＩＵとの間に冷却液用コネクタが配置されていると、冷却用コネクタが比較的に大きなスペースを占有する。このため、プラグイン型の伝送装置では、電気コネクタ等の他の部品を実装するためのスペースを十分に確保することが困難となる。そこで、装置本体とＰＩＵとの間に冷却液用コネクタを配置することなく、ＰＩＵ内の発熱部品を冷却することが期待されている。
【０００６】
開示の技術は、上記に鑑みてなされたものであって、装置本体とＰＩＵとの間に冷却液用コネクタを配置することなく、ＰＩＵ内の発熱部品を冷却することができる伝送装置及びプラグインユニットを提供することを目的とする。
【課題を解決するための手段】
【０００７】
本願の開示する伝送装置は、一つの態様において、スロットが形成された装置本体と、前記装置本体の前記スロットに挿入されるプラグインユニットと、を有し、前記装置本体は、前記装置本体の前記スロットにおいて上下方向に変位可能に冷却プレートを保持する保持部材を有し、前記プラグインユニットは、前記装置本体の前記スロットに挿抜可能な筐体と、前記筐体に収容され、発熱部品が搭載された基板と、前記装置本体の前記スロットに前記筐体を挿入する操作に連動して、前記保持部材に保持された前記冷却プレートを前記発熱部品に接触する位置又は前記発熱部品上に設けられた伝熱部材に接触する位置に変位させる変位部材と、を有する。
【発明の効果】
【０００８】
本願の開示する伝送装置の一つの態様によれば、装置本体とＰＩＵとの間に冷却液用コネクタを配置することなく、ＰＩＵ内の発熱部品を冷却することができる、という効果を奏する。
【図面の簡単な説明】
【０００９】
【図１】図１は、実施例１に係る伝送装置の外観を示す斜視図である。
【図２】図２は、実施例１に係る伝送装置が備える装置本体及びＰＩＵの内部構成の一例を示す上面図である。
【図３】図３は、実施例１に係る伝送装置が備える装置本体及びＰＩＵの内部構成の一例を示す側断面図である。
【図４】図４は、実施例１における冷却プレートを変位させる動作の流れの一例を説明する図である。
【図５】図５は、実施例１における冷却プレートを変位させる動作の流れの一例を説明する図である。
【図６】図６は、実施例１における冷却プレートを変位させる動作の流れの一例を説明する図である。
【図７】図７は、実施例２に係る伝送装置が備える装置本体及びＰＩＵの内部構成の一例を示す斜視図である。
【図８】図８は、実施例２における保持部材の固定態様の一例を示す斜視図である。
【図９】図９は、実施例２における変位部材の固定態様の一例を示す斜視図である。
【図１０】図１０は、図９のＸ−Ｘ線における断面図である。
【図１１】図１１は、実施例２における冷却プレートを変位させる動作の流れの一例を説明する図である。
【図１２】図１２は、実施例２における冷却プレートを変位させる動作の流れの一例を説明する図である。
【図１３】図１３は、実施例３に係る伝送装置が備えるＰＩＵの内部構成の一例を示す側面図である。
【図１４】図１４は、実施例３における冷却プレートを変位させる動作の流れの一例を説明する図である。
【図１５】図１５は、実施例３における冷却プレートを変位させる動作の流れの一例を説明する図である。
【図１６】図１６は、実施例３の変形例に係る伝送装置が備える装置本体及びＰＩＵの内部構成の一例を示す側面図である。
【図１７】図１７は、実施例４に係る伝送装置が備える装置本体及びＰＩＵの内部構成の一例を示す側面図である。
【図１８】図１８は、実施例４における冷却プレートの保持態様の一例を示す斜視図である。
【図１９】図１９は、実施例４における冷却プレートを変位させる動作の流れの一例を説明する図である。
【図２０】図２０は、実施例４における冷却プレートを変位させる動作の流れの一例を説明する図である。
【図２１】図２１は、実施例５に係る伝送装置が備える装置本体及びＰＩＵの内部構成の一例を示す側面図である。
【図２２】図２２は、実施例５における冷却プレートを変位させる動作の流れの一例を説明する図である。
【図２３】図２３は、実施例５における冷却プレートを変位させる動作の流れの一例を説明する図である。
【発明を実施するための形態】
【００１０】
以下に、本願の開示する伝送装置及びプラグインユニットの実施例を図面に基づいて詳細に説明する。なお、この実施例により開示技術が限定されるものではない。また、実施例において同一の機能を有する構成には同一の符号を付し、重複する説明は省略される。
【００１１】
［実施例１］
［伝送装置１の構成］
図１は、実施例１に係る伝送装置１の外観を示す斜視図である。図１に示す伝送装置１は、電子部品等の発熱部品を搭載するプラグインユニット（ＰＩＵ：Plug-in  Unit）２０が装置本体１０に差し込まれる、プラグイン型の伝送装置である。装置本体１０は、筐体１１を有する。筐体１１は、底板、底板に対向する天板、互いに対向する一対の側壁、前面及び背面を有する箱体である。なお、以下では、図１において、紙面の手前側に位置する面を前面と呼び、紙面の奥側に位置する面を背面と呼ぶ。
【００１２】
筐体１１の前面には、複数のスロット１２が形成されている。筐体１１の前面の各スロット１２は、筐体１１の底板に設けられたレール１１ａによって区画されている。筐体１１の前面の各スロット１２には、レール１１ａに沿ってＰＩＵ２０が挿入される。筐体１１の前面の各スロット１２にＰＩＵ２０が挿入されることにより、ＰＩＵ２０は、装置本体１０と電気的に接続される。
【００１３】
ＰＩＵ２０は、装置本体１０のスロット１２に挿抜可能な筐体２２と、レバー２１とを有する。筐体２２は、底板、底板に対向する天板、互いに対向する一対の側壁、前面及び背面を有する箱体である。筐体２２の前面には、光信号を送受信するプラガブル型の光モジュールが差し込まれる開口（不図示）が形成されている。
【００１４】
レバー２１は、筐体２２に回動可能に設けられており、筐体２２を挿入する操作時に操作されるレバーである。レバー２１は、梃子としての機能を有する。すなわち、装置本体１０のスロット１２に筐体２２が挿入される場合には、操作者の操作によってレバー２１が回動され、梃子の作用によりレバー２１を介して筐体２２の挿入方向の力が装置本体１０に付与される。これにより、装置本体１０のスロット１２に筐体２２が挿入される。
【００１５】
［装置本体１０及びＰＩＵ２０の内部構成］
図２は、実施例１に係る伝送装置１が備える装置本体１０及びＰＩＵ２０の内部構成の一例を示す上面図である。図３は、実施例１に係る伝送装置１が備える装置本体１０及びＰＩＵ２０の内部構成の一例を示す側断面図である。図２及び図３では、ＰＩＵ２０の筐体２２が装置本体１０のスロット１２から抜去された状態が示されている。なお、図２では、説明の便宜上、装置本体１０の筐体１１の天板と、ＰＩＵ２０の筐体２２の天板とが省略されている。
【００１６】
装置本体１０の筐体１１の内部には、図２及び図３に示すように、プリント回路板である基板１３が収容されている。基板１３は、装置本体１０のスロット１２を避けるように切り欠かれており、基板１３の上面には、スロット１２に対向するように電気コネクタ１４が設けられている。電気コネクタ１４は、装置本体１０のスロット１２にＰＩＵ２０の筐体２２が挿入された状態で、ＰＩＵ２０における電気コネクタ２５に接続される。
【００１７】
装置本体１０の筐体１１の天板には、保持部材１５が固定されている。保持部材１５は、装置本体１０のスロット１２において上下方向に変位可能に冷却プレート３０を保持する。保持部材１５は、装置本体１０のスロット１２において、電気コネクタ１４及び電気コネクタ２５よりも高い位置に冷却プレート３０を保持する。すなわち、保持部材１５は、装置本体１０のスロット１２において、電気コネクタ１４と電気コネクタ２５とを接続するための経路と重ならない位置に冷却プレート３０を保持している。これにより、装置本体１０のスロット１２にＰＩＵ２０の筐体２２が挿入される際に、電気コネクタ１４に接続される電気コネクタ２５と、冷却プレート３０との干渉が回避される。本実施例では、保持部材１５は、例えば、板バネである。
【００１８】
冷却プレート３０は、例えば、銅やアルミニウム等の熱伝導性素材により平板状に形成されている。冷却プレート３０の内部には、水等の冷却液を通流させる流路が形成されている。冷却プレート３０内の流路には、冷却液を供給するための入口配管３１と、冷却液を排出するための出口配管３２とが接続されている。また、冷却プレート３０は、冷却プレート３０の先端に近付くにつれて筐体１１の天板から離れる傾斜面３０１を有する。
【００１９】
ＰＩＵ２０の筐体２２の内部には、プリント回路板である基板２３が収容されている。基板２３の上面には、電子部品２４が搭載されている。電子部品２４は、動作時に発熱する発熱部品である。また、基板２３の上面の、筐体２２の背面側に位置する領域には、電気コネクタ２５が設けられている。電気コネクタ２５は、装置本体１０のスロット１２にＰＩＵ２０の筐体２２が挿入された状態で、装置本体１０における電気コネクタ１４に接続される。
【００２０】
また、ＰＩＵ２０は、変位部材２６を有する。変位部材２６は、筐体２２の天板のうち、電子部品２４に対向する領域に固定されている。変位部材２６は、装置本体１０のスロット１２に筐体２２を挿入する操作に連動して、保持部材１５に保持された冷却プレート３０を電子部品２４に接触する位置に変位させる。すなわち、変位部材２６は、筐体２２を挿入する操作に連動して、保持部材１５に保持された冷却プレート３０を、電気コネクタ１４及び電気コネクタ２５よりも高い位置から電子部品２４に接触する位置に変位させる。本実施例では、変位部材２６は、板バネであり、筐体２２を挿入する操作に連動して、保持部材１５に保持された冷却プレート３０を電子部品２４の方向へ弾性的に押圧することで、冷却プレート３０を電子部品２４に接触する位置に変位させる。
【００２１】
また、変位部材２６は、傾斜面２６１を有し、装置本体１０のスロット１２にＰＩＵ２０の筐体２２が挿入される際に、傾斜面２６１と冷却プレート３０の傾斜面３０１とを接触させることで、冷却プレート３０を電子部品２４の方向へガイドする。また、変位部材２６の一部には、切欠部２６２が形成されており、冷却プレート３０を保持する保持部材１５は、装置本体１０のスロット１２にＰＩＵ２０の筐体２２が挿入される際に、変位部材２６の切欠部２６２に収容される。
【００２２】
［作用及び効果］
次に、本実施例に係る伝送装置１の作用及び効果について説明する。図４〜図６は、実施例１における冷却プレート３０を変位させる動作の流れの一例を説明する図である。図４は、装置本体１０のスロット１２にＰＩＵ２０の筐体２２が未だ挿入されていない状態を示している。この状態では、保持部材１５は、装置本体１０のスロット１２において、電気コネクタ１４及び電気コネクタ２５よりも高い位置に冷却プレート３０を保持している。続いて、装置本体１０のスロット１２に対する、ＰＩＵ２０の筐体２２の挿入が開始される。図４の例では、ＰＩＵ２０の筐体２２の挿入方向が白色の矢印で示されている。
【００２３】
図５は、装置本体１０のスロット１２にＰＩＵ２０の筐体２２の一部が挿入された状態を示している。この状態では、保持部材１５に保持された冷却プレート３０が電気コネクタ２５と筐体２２の天板との間の隙間に挿通される。変位部材２６は、筐体２２を挿入する操作に連動して、保持部材１５に保持された冷却プレート３０を、電気コネクタ１４及び電気コネクタ２５よりも高い位置から電子部品２４に接触する位置に変位させる。図５の例では、変位部材２６は、保持部材１５に保持された冷却プレート３０を電子部品２４の方向へ弾性的に押圧することで、冷却プレート３０を電子部品２４に接触する位置に変位させる。
【００２４】
図６は、装置本体１０のスロット１２にＰＩＵ２０の筐体２２が完全に挿入された状態を示している。この状態では、電気コネクタ１４と電気コネクタ２５とが接続され、変位部材２６の押圧によって、冷却プレート３０が電子部品２４に密着している。
【００２５】
これにより、伝送装置１は、装置本体１０のスロット１２にＰＩＵ２０の筐体２２を挿入する操作に連動して、ＰＩＵ２０内の電子部品２４の冷却を開始することができる。その結果、伝送装置１は、ＰＩＵ２０内の発熱部品を冷却することができる。
【００２６】
すなわち、プラグイン型の伝送装置１では、ＰＩＵ２０内の発熱部品に対して冷却プレート３０を適用する場合、冷却プレート３０をＰＩＵ２０内の発熱部品に直接的に取り付けることが考えられる。冷却プレート３０がＰＩＵ２０内の発熱部品に直接的に取り付けられる場合、装置本体１０とＰＩＵ２０との間に冷却液用コネクタが配置され、冷却液用コネクタを介して冷却プレート３０の配管に冷却液が供給される。しかしながら、装置本体１０とＰＩＵ２０との間に冷却液用コネクタが配置されていると、冷却用コネクタが比較的に大きなスペースを占有する。このため、プラグイン型の伝送装置１では、電気コネクタ１４や電気コネクタ２５等の他の部品を実装するためのスペースを十分に確保することが困難となる。
【００２７】
そこで、伝送装置１では、変位部材２６が、装置本体１０のスロット１２に筐体２２を挿入する操作に連動して、保持部材１５に保持された冷却プレート３０を電子部品２４に接触する位置に変位させる。これにより、伝送装置１は、装置本体１０のスロット１２にＰＩＵ２０の筐体２２を挿入する操作に連動して、ＰＩＵ２０内の電子部品２４の冷却を開始することができるので、装置本体１０とＰＩＵ２０との間の冷却液用コネクタを省略することができる。その結果、伝送装置１は、装置本体１０とＰＩＵ２０との間に冷却液用コネクタを配置することなく、ＰＩＵ２０内の発熱部品を冷却することができる。
【００２８】
以上のように、本実施例に係る伝送装置１及びＰＩＵ２０において、変位部材２６が、装置本体１０のスロット１２に筐体２２を挿入する操作に連動して、保持部材１５に保持された冷却プレート３０を電子部品２４に接触する位置に変位させる。
【００２９】
この伝送装置１及びＰＩＵ２０の構成により、装置本体１０とＰＩＵ２０との間に冷却液用コネクタを配置することなく、ＰＩＵ２０内の発熱部品を冷却することができる。
【００３０】
［実施例２］
実施例２に係る伝送装置１は、主に、発熱部品上に伝熱部材を設け、冷却プレート３０を伝熱部材に接触する位置に変位させる点を除き、実施例２の伝送装置１と同様の構成を有する。したがって、実施例２では、上記実施例１と共通する構成要素には、同一の参照符号を用いる共に、その詳細な説明は省略する。
【００３１】
［装置本体１０及びＰＩＵ２０の内部構成］
図７は、実施例２に係る伝送装置１Ａが備える装置本体１０及びＰＩＵ２０の内部構成の一例を示す斜視図である。図８は、実施例２における保持部材１５の固定態様の一例を示す斜視図である。図９は、実施例２における変位部材２６の固定態様の一例を示す斜視図である。図１０は、図９のＸ−Ｘ線における断面図である。図７では、ＰＩＵ２０の筐体２２が装置本体１０のスロット１２に挿入された状態が示されている。なお、図７では、説明の便宜上、装置本体１０の筐体１１の天板が省略されている。
【００３２】
図７に示す伝送装置１Ａにおいて、保持部材１５は、固定部材１６に固定されている。固定部材１６は、図８に示すように、装置本体１０のスロット１２に対応する形状を有しており、装置本体１０のスロット１２の底面に固定されている。保持部材１５は、装置本体１０の筐体１１の天板近傍の位置において、固定部材１６に固定されている。そして、保持部材１５は、装置本体１０のスロット１２において上下方向に変位可能に冷却プレート３０を保持する。本実施例では、保持部材１５は、例えば、板バネである。
【００３３】
また、図７に伝送装置１Ａにおいて、ＰＩＵ２０は、伝熱部材２７を有する。伝熱部材２７は、図９及び図１０に示すように、電子部品２４上に配設されている。伝熱部材２７は、例えば、銅やアルミニウム等の熱伝導性素材により平板状に形成されている。伝熱部材２７の上面には、固定部材２８が設けられている。固定部材２８は、伝熱部材２７の上面と対向する対向部２８ａを有している。固定部材２８は、装置本体１０のスロット１２にＰＩＵ２０の筐体２２が挿入される際に、対向部２８ａと冷却プレート３０の傾斜面３０１とを接触させることで、冷却プレート３０を電子部品２４の方向へガイドする。本実施例では、変位部材２６は、固定部材２８の対向部２８ａに固定されている。そして、変位部材２６は、装置本体１０のスロット１２に筐体２２を挿入する操作に連動して、保持部材１５に保持された冷却プレート３０を伝熱部材２７に接触する位置に変位させる。すなわち、変位部材２６は、筐体２２を挿入する操作に連動して、保持部材１５に保持された冷却プレート３０を、電気コネクタ１４及び電気コネクタ２５よりも高い位置から伝熱部材２７に接触する位置に変位させる。本実施例では、変位部材２６は、板バネであり、筐体２２を挿入する操作に連動して、保持部材１５に保持された冷却プレート３０を電子部品２４の方向へ弾性的に押圧することで、冷却プレート３０を伝熱部材２７に接触する位置に変位させる。
【００３４】
［作用及び効果］
次に、本実施例に係る伝送装置１Ａの作用及び効果について説明する。図１１及び図１２は、実施例２における冷却プレート３０を変位させる動作の流れの一例を説明する図である。なお、図１１及び図１２では、説明の便宜上、装置本体１０の筐体１１及びＰＩＵ２０の筐体２２が省略されている。装置本体１０のスロット１２にＰＩＵ２０の筐体２２が未だ挿入されていない状態では、保持部材１５は、装置本体１０のスロット１２において、電気コネクタ１４及び電気コネクタ２５よりも高い位置に冷却プレート３０を保持している。まず、装置本体１０のスロット１２に対する、ＰＩＵ２０の筐体２２の挿入が開始される。図１１では、ＰＩＵ２０の筐体２２の挿入方向が白色の矢印で示されている。
【００３５】
図１１は、装置本体１０のスロット１２にＰＩＵ２０の筐体２２の一部が挿入された状態を示している。この状態では、保持部材１５に保持された冷却プレート３０が電気コネクタ２５と筐体２２の天板との間の隙間に挿通される。変位部材２６は、筐体２２を挿入する操作に連動して、保持部材１５に保持された冷却プレート３０を、電気コネクタ１４及び電気コネクタ２５よりも高い位置から伝熱部材２７に接触する位置に変位させる。図１１の例では、変位部材２６は、保持部材１５に保持された冷却プレート３０を電子部品２４の方向へ弾性的に押圧することで、冷却プレート３０を伝熱部材２７に接触する位置に変位させる。
【００３６】
図１２は、装置本体１０のスロット１２にＰＩＵ２０の筐体２２が完全に挿入された状態を示している。この状態では、変位部材２６の押圧によって、冷却プレート３０が伝熱部材２７に密着している。
【００３７】
以上のように、本実施例に係る伝送装置１Ａにおいて、ＰＩＵ２０は、伝熱部材２７を有する。変位部材２６は、装置本体１０のスロット１２に筐体２２を挿入する操作に連動して、保持部材１５に保持された冷却プレート３０を伝熱部材２７に接触する位置に変位させる。
【００３８】
この伝送装置１Ａの構成により、伝熱部材２７を介して冷却プレート３０を発熱部材に間接的に接触させることができるので、冷却プレート３０の変位量を伝熱部材２７の厚さ分だけ減少させることができる。
【００３９】
［実施例３］
実施例３は、実施例２の変位部材のバリエーションに関する。
【００４０】
［ＰＩＵ２０の内部構成］
図１３は、実施例３に係る伝送装置１Ｂが備えるＰＩＵ２０の内部構成の一例を示す側面図である。なお、図１３では、説明の便宜上、ＰＩＵ２０の筐体２２が省略されている。また、実施例３の装置本体１０の構成は、実施例２の装置本体１０の構成と同様であるため、その詳細な説明を省略する。
【００４１】
図１３に示す伝送装置１Ｂにおいて、ＰＩＵ２０は、変位部材２６及び固定部材２８に代えて、変位部材４１を有する。変位部材４１は、端部に傾斜面４１ａが形成されたブロックである。変位部材４１は、伝熱部材２７に連結部材４２を介して連結されており、伝熱部材２７の上面に沿って移動可能に構成されている。変位部材４１は、レバー２１（図１参照）に連結部材４３を介して連結され、レバー２１の回動に連動して、保持部材１５に保持された冷却プレート３０を、電気コネクタ１４及び電気コネクタ２５よりも高い位置から伝熱部材２７に接触する位置に変位させる。すなわち、変位部材４１は、レバー２１の回動に連動して、保持部材１５に保持された冷却プレート３０に近付く方向へ移動する。例えば、筐体２２の挿入方向の力が装置本体１０に付与される方向にレバー２１が回動される場合に、変位部材４１は、冷却プレート３０に近付く方向へ移動して、傾斜面４１ａを冷却プレート３０の傾斜面３０１に接触させる。そして、変位部材４１は、傾斜面４１ａに沿って冷却プレート３０をガイドすることで、冷却プレート３０を伝熱部材２７に接触する位置に変位させる。なお、変位部材４１は、伝熱部材２７が無い場合には、冷却プレート３０を電子部品２４に接触する位置に変位させてもよい。
【００４２】
［作用及び効果］
次に、本実施例に係る伝送装置１Ｂの作用及び効果について説明する。図１４及び図１５は、実施例３における冷却プレート３０を変位させる動作の流れの一例を説明する図である。なお、図１４及び図１５では、説明の便宜上、装置本体１０の筐体１１及びＰＩＵ２０の筐体２２が省略されている。装置本体１０のスロット１２にＰＩＵ２０の筐体２２が未だ挿入されていない状態では、保持部材１５は、装置本体１０のスロット１２において、電気コネクタ１４及び電気コネクタ２５よりも高い位置に冷却プレート３０を保持している。まず、装置本体１０のスロット１２に対する、ＰＩＵ２０の筐体２２の挿入が開始される。図１４では、ＰＩＵ２０の筐体２２の挿入方向が白色の矢印で示されている。
【００４３】
図１４は、装置本体１０のスロット１２にＰＩＵ２０の筐体２２の一部が挿入された状態を示している。この状態では、保持部材１５に保持された冷却プレート３０が電気コネクタ２５と筐体２２の天板との間の隙間に挿通される。また、操作者の操作によってレバー２１が回動され、梃子の作用によりレバー２１を介して筐体２２の挿入方向の力が装置本体１０に付与される。このとき、変位部材４１は、レバー２１の回動に連動して、保持部材１５に保持された冷却プレート３０を、電気コネクタ１４及び電気コネクタ２５よりも高い位置から伝熱部材２７に接触する位置に変位させる。すなわち、変位部材４１は、レバー２１の回動に連動して、保持部材１５に保持された冷却プレート３０に近付く方向（図１４の矢印Ａの方向）へ移動する。そして、変位部材４１は、傾斜面４１ａに沿って冷却プレート３０をガイドすることで、冷却プレート３０を伝熱部材２７に接触する位置に変位させる。
【００４４】
図１５は、装置本体１０のスロット１２にＰＩＵ２０の筐体２２が完全に挿入された状態を示している。この状態では、変位部材４１のガイドによって、冷却プレート３０が伝熱部材２７に密着している。
【００４５】
以上のように、本実施例に係る伝送装置１Ｂにおいて、ＰＩＵ２０は、変位部材４１を有する。変位部材４１は、端部に傾斜面４１ａが形成されたブロックである。変位部材４１は、レバー２１に連結部材４３を介して連結され、レバー２１の回動に連動して、保持部材１５に保持された冷却プレート３０に近付く方向へ移動する。そして、変位部材４１は、傾斜面４１ａに沿って冷却プレート３０をガイドすることで、冷却プレート３０を伝熱部材２７に接触する位置に変位させる。
【００４６】
この伝送装置１Ｂの構成により、レバー２１の回動に連動して、伝熱部材２７を介して冷却プレート３０を発熱部材に間接的に接触させることができる。
【００４７】
［実施例３の変形例］
なお、上述した実施例３では、基板２３の上面に搭載される電子部品２４を冷却プレート３０によって冷却する例を示したが、基板２３の下面に搭載される電子部品２４を冷却プレート３０によって冷却してもよい。図１６は、実施例３の変形例に係る伝送装置１Ｃが備える装置本体１０及びＰＩＵ２０の内部構成の一例を示す側面図である。なお、図１６では、説明の便宜上、装置本体１０の筐体１１及びＰＩＵ２０の筐体２２が省略されている。
【００４８】
図１６に示す伝送装置１Ｃにおいて、ＰＩＵ２０の電子部品２４は、基板２３の下面に搭載されている。変位部材４１は、基板２３の下面に沿って移動可能に構成されている。また、伝送装置１Ｃにおいて、装置本体１０の冷却プレート３０は、上下反転された状態で保持部材１５によって保持されている。
【００４９】
伝送装置１Ｃにおいて、変位部材４１は、レバー２１に連結部材４３を介して連結され、レバー２１の回動に連動して、保持部材１５に保持された冷却プレート３０に近付く方向へ移動する。そして、変位部材４１は、傾斜面４１ａに沿って冷却プレート３０をガイドすることで、冷却プレート３０を伝熱部材２７に接触する位置に変位させる。これにより、伝送装置１Ｃは、レバー２１の回動に連動して、冷却プレート３０を、基板２３の下面に搭載された電子部品２４に接触させることができる。
【００５０】
［実施例４］
実施例４は、実施例２の保持部材及び変位部材のバリエーションに関する。
【００５１】
［装置本体１０及びＰＩＵ２０の内部構成］
図１７は、実施例４に係る伝送装置１Ｄが備える装置本体１０及びＰＩＵ２０の内部構成の一例を示す側面図である。図１７では、ＰＩＵ２０の筐体２２の一部が装置本体１０のスロット１２に挿入された状態が示されている。なお、図１７では、説明の便宜上、装置本体１０の筐体１１及びＰＩＵ２０の筐体２２が省略されている。
【００５２】
図１７に示す伝送装置１Ｄにおいて、装置本体１０は、保持部材１５及び固定部材１６に代えて、保持部材５１を有する。保持部材５１は、ピニオンギアであり、例えば、装置本体１０のスロット１２の天井面に回転可能に取り付けられている。そして、保持部材５１は、装置本体１０のスロット１２において上下方向に変位可能に冷却プレート３０を保持する。保持部材５１は、装置本体１０のスロット１２において、電気コネクタ１４及び電気コネクタ２５よりも高い位置に冷却プレート３０を保持する。
【００５３】
図１８は、実施例４における冷却プレート３０の保持態様の一例を示す斜視図である。保持部材５１は、図１８に示すように、側面にネジ溝が形成された回転軸部５１１を有する。保持部材５１は、回転軸部５１１を冷却プレート３０に形成されたネジ孔３０２に係合することで、冷却プレート３０を保持する。冷却プレート３０は、保持部材５１が回転することにより、回転軸部５１１に沿って移動することができる。
【００５４】
図１７の説明に戻る。伝送装置１Ｄにおいて、ＰＩＵ２０は、変位部材２６に代えて、変位部材６１を有する。変位部材６１は、ラックギアであり、例えば、ＰＩＵ２０の筐体２２の側壁のうち、電子部品２４に対応する領域に固定されている。変位部材６１は、装置本体１０のスロット１２に筐体２２を挿入する操作に連動して、保持部材５１に保持された冷却プレート３０を伝熱部材２７に接触する位置に変位させる。すなわち、変位部材６１は、筐体２２を挿入する操作に連動して、保持部材５１に保持された冷却プレート３０を、電気コネクタ１４及び電気コネクタ２５よりも高い位置から伝熱部材２７に接触する位置に変位させる。本実施例では、変位部材６１は、筐体２２を挿入する操作に連動して、保持部材５１に係合する。そして、変位部材６１は、保持部材５１を回転させて回転軸部５１１に沿って冷却プレート３０を電子部品２４の方向に移動させることで、冷却プレート３０を伝熱部材２７に接触する位置に変位させる。なお、変位部材６１は、伝熱部材２７が無い場合には、冷却プレート３０を電子部品２４に接触する位置に変位させてもよい。
【００５５】
［作用及び効果］
次に、本実施例に係る伝送装置１Ｄの作用及び効果について説明する。図１９及び図２０は、実施例４における冷却プレート３０を変位させる動作の流れの一例を説明する図である。なお、図１９及び図２０では、説明の便宜上、装置本体１０の筐体１１及びＰＩＵ２０の筐体２２が省略されている。装置本体１０のスロット１２にＰＩＵ２０の筐体２２が未だ挿入されていない状態では、保持部材５１は、装置本体１０のスロット１２において、電気コネクタ１４及び電気コネクタ２５よりも高い位置に冷却プレート３０を保持している。まず、装置本体１０のスロット１２に対する、ＰＩＵ２０の筐体２２の挿入が開始される。図１９では、ＰＩＵ２０の筐体２２の挿入方向が白色の矢印で示されている。
【００５６】
図１９は、装置本体１０のスロット１２にＰＩＵ２０の筐体２２の一部が挿入された状態を示している。この状態では、保持部材５１に保持された冷却プレート３０が電気コネクタ２５と筐体２２の天板との間の隙間に挿通される。変位部材６１は、筐体２２を挿入する操作に連動して、保持部材５１に係合する。そして、変位部材６１は、保持部材５１を回転させて回転軸部５１１に沿って冷却プレート３０を電子部品２４の方向に移動させることで、冷却プレート３０を伝熱部材２７に接触する位置に変位させる。
【００５７】
図２０は、装置本体１０のスロット１２にＰＩＵ２０の筐体２２が完全に挿入された状態を示している。この状態では、保持部材５１の回転に伴う冷却プレート３０の移動によって、冷却プレート３０が伝熱部材２７に密着している。
【００５８】
以上のように、本実施例に係る伝送装置１Ｄにおいて、ＰＩＵ２０は、変位部材６１を有する。変位部材６１は、ラックギアであり、筐体２２を挿入する操作に連動して、ピニオンギアである保持部材５１に係合する。そして、変位部材６１は、保持部材５１を回転させて回転軸部５１１に沿って冷却プレート３０を電子部品２４の方向に移動させることで、冷却プレート３０を伝熱部材２７に接触する位置に変位させる。
【００５９】
この伝送装置１Ｄの構成により、筐体２２を挿入する操作に連動して、伝熱部材２７を介して冷却プレート３０を発熱部材に間接的に接触させることができる。
【００６０】
［実施例５］
実施例５は、実施例２の保持部材及び変位部材のバリエーションに関する。
【００６１】
［装置本体１０及びＰＩＵ２０の内部構成］
図２１は、実施例５に係る伝送装置１Ｅが備える装置本体１０及びＰＩＵ２０の内部構成の一例を示す側面図である。図２１では、ＰＩＵ２０の筐体２２の一部が装置本体１０のスロット１２に挿入された状態が示されている。なお、図２１では、説明の便宜上、装置本体１０の筐体１１及びＰＩＵ２０の筐体２２が省略されている。また、以下の説明では、電子部品２４上に伝熱部材２７が設けられていないものとする。
【００６２】
図２１に示す伝送装置１Ｅにおいて、装置本体１０は、保持部材１５及び固定部材１６に代えて、保持部材５２を有する。保持部材５２は、ピニオンギア５２１の回転により上下方向に伸縮可能なパンタグラフであり、例えば、装置本体１０のスロット１２の天井面に固定されている。そして、保持部材５２は、装置本体１０のスロット１２において上下方向に変位可能に冷却プレート３０を保持する。保持部材５２は、装置本体１０のスロット１２において、電気コネクタ１４及び電気コネクタ２５よりも高い位置に冷却プレート３０を保持する。すなわち、保持部材５２の、スロット１２の天井面とは反対側の下面に、冷却プレート３０が固定されており、保持部材５２が収縮された状態では、冷却プレート３０は、電気コネクタ２５よりも高い位置に保持されている。
【００６３】
また、伝送装置１Ｅにおいて、ＰＩＵ２０は、変位部材２６に代えて、変位部材６２を有する。変位部材６２は、ラックギアであり、例えば、ＰＩＵ２０の筐体２２の側壁のうち、電子部品２４に対応する領域に固定されている。変位部材６２は、装置本体１０のスロット１２に筐体２２を挿入する操作に連動して、保持部材５２に保持された冷却プレート３０を電子部品２４に接触する位置に変位させる。すなわち、変位部材６２は、筐体２２を挿入する操作に連動して、保持部材５２に保持された冷却プレート３０を、電気コネクタ１４及び電気コネクタ２５よりも高い位置から電子部品２４に接触する位置に変位させる。本実施例では、変位部材６２は、筐体２２を挿入する操作に連動して、保持部材５２（パンタグラフ）のピニオンギア５２１に係合する。そして、変位部材６２は、ピニオンギア５２１を回転させて保持部材５２を電子部品２４の方向に伸張させることで、冷却プレート３０を電子部品２４に接触する位置に変位させる。なお、変位部材６２は、電子部品２４上に伝熱部材２７が設けられている場合には、冷却プレート３０を伝熱部材２７に接触する位置に変位させてもよい。
【００６４】
［作用及び効果］
次に、本実施例に係る伝送装置１Ｅの作用及び効果について説明する。図２２及び図２３は、実施例５における冷却プレート３０を変位させる動作の流れの一例を説明する図である。なお、図２２及び図２３では、説明の便宜上、装置本体１０の筐体１１及びＰＩＵ２０の筐体２２が省略されている。装置本体１０のスロット１２にＰＩＵ２０の筐体２２が未だ挿入されていない状態では、保持部材５２は、装置本体１０のスロット１２において、電気コネクタ１４及び電気コネクタ２５よりも高い位置に冷却プレート３０を保持している。まず、装置本体１０のスロット１２に対する、ＰＩＵ２０の筐体２２の挿入が開始される。図２２では、ＰＩＵ２０の筐体２２の挿入方向が白色の矢印で示されている。
【００６５】
図２２は、装置本体１０のスロット１２にＰＩＵ２０の筐体２２の一部が挿入された状態を示している。この状態では、保持部材５２に保持された冷却プレート３０が電気コネクタ２５と筐体２２の天板との間の隙間に挿通される。変位部材６２は、筐体２２を挿入する操作に連動して、保持部材５２（パンタグラフ）のピニオンギア５２１に係合する。そして、変位部材６２は、ピニオンギア５２１を回転させて保持部材５２を電子部品２４の方向（図２２の矢印Ｂの方向）に伸張させることで、冷却プレート３０を電子部品２４に接触する位置に変位させる。
【００６６】
図２３は、装置本体１０のスロット１２にＰＩＵ２０の筐体２２が完全に挿入された状態を示している。この状態では、変位部材６２の伸張によって、冷却プレート３０が電子部品２４に密着している。
【００６７】
以上のように、本実施例に係る伝送装置１Ｅにおいて、変位部材６２を有する。変位部材６２は、ラックギアであり、筐体２２を挿入する操作に連動して、保持部材５２（パンタグラフ）のピニオンギア５２１に係合する。そして、変位部材６２は、ピニオンギア５２１を回転させて保持部材５２を電子部品２４の方向に伸張させることで、冷却プレート３０を電子部品２４に接触する位置に変位させる。
【００６８】
この伝送装置１Ｅの構成により、筐体２２を挿入する操作に連動して、冷却プレート３０を発熱部材に直接的に接触させることができる。
【符号の説明】
【００６９】
１、１Ａ〜１Ｅ  伝送装置
１０  装置本体
１２  スロット
１４  電気コネクタ
１５、５１、５２  保持部材
２０  ＰＩＵ
２１  レバー
２２  筐体
２３  基板
２４  電子部品
２５  電気コネクタ
２６、４１、６１、６２  変位部材
２７  伝熱部材
３０  冷却プレート
４１ａ  傾斜面
３０２  ネジ孔
５１１  回転軸部
５２１  ピニオンギア
【図１】
2020072133.tif 000003
【図２】
2020072133.tif 000004
【図３】
2020072133.tif 000005
【図４】
2020072133.tif 000006
【図５】
2020072133.tif 000007
【図６】
2020072133.tif 000008
【図７】
2020072133.tif 000009
【図８】
2020072133.tif 000010
【図９】
2020072133.tif 000011
【図１０】
2020072133.tif 000012
【図１１】
2020072133.tif 000013
【図１２】
2020072133.tif 000014
【図１３】
2020072133.tif 000015
【図１４】
2020072133.tif 000016
【図１５】
2020072133.tif 000017
【図１６】
2020072133.tif 000018
【図１７】
2020072133.tif 000019
【図１８】
2020072133.tif 000020
【図１９】
2020072133.tif 000021
【図２０】
2020072133.tif 000022
【図２１】
2020072133.tif 000023
【図２２】
2020072133.tif 000024
【図２３】
2020072133.tif 000025